(57)【要約】      （修正有）【課題】ラケットなどのグリップに巻き付けたグリップテープの終端部を止めるエンドテープで、使用者のグリップテープのカラーやパーソナルイメージに合わせたコーディネートが容易に可能なグリップのエンドテープを提供する。【解決手段】ラケットなどのグリップに巻き付けたグリップテープの終端部を止めるエンドテープであって、エンドテープの本体１の長手方向のほぼ中央位置で第１領域１ａと第２領域１ｂに分割し、第１領域と第２領域は、各々異なるカラーで構成して、第１領域から巻き始めるか第２領域から巻き始めるかによって表側となる本体のカラーを選択することができ、使用者のグリップテープのカラーやパーソナルイメージに合わせたコーディネートが容易に可能となる。【選択図】図１
0003225340.tif 000002
【実用新案登録請求の範囲】
【請求項１】
ラケットなどのグリップに巻き付けたグリップテープの終端部を止めるエンドテープであって、エンドテープ本体の長手方向のほぼ中央位置で第１領域と第２領域に分割し、第１領域と第２領域は、各々異なるカラーで構成したことを特徴とするグリップのエンドテープ。
【請求項２】
該第１領域と該第２領域は、各々異なるテクスチャーで構成したことを特徴とする請求項１に記載のグリップのエンドテープ。
【請求項３】
該第１領域と該第２領域は、各々異なるカラー、あるいはテクスチャーで構成されるとともに、該第１領域と該第２領域には、各々文字図柄の何れかまたは組み合わせたものが表示され、該第１領域に表示された文字図柄に対して、該第２領域に表示された文字図柄は、上下逆の１８０度転回した状態で表示されていることを特徴とする請求項１または請求項２の何れかに記載のグリップのエンドテープ。
【請求項４】
該第１領域と該第２領域の各々の長さは、少なくともラケットなどのグリップの周方向の長さよりも長いことを特徴とする請求項１乃至請求項３の何れかに記載のグリップのエンドテープ。
【考案の詳細な説明】
【技術分野】
【０００１】  本考案は、硬式テニス及びソフトテニスのラケット、バトミントンラケット、卓球ラケットなどのグリップに巻き付ける滑り止めグリップテープの巻き終わり部分（以下、「終端部」という）を止めるエンドテープに関する。
【背景技術】
【０００２】  従来から、テニスラケットなどのスポーツ用品のグリップに巻き付けて使用する滑り止めグリップテープの終端部を止めるエンドテープがよく知られている。エンドテープは、塩化ビニールやポリウレタンなどの伸縮性のある素材で裏面に粘着層を有しているので、ラケットに巻き付けられたグリップテープの終端部に巻き付けることで、終端部を確実に固定し、きれいに仕上げることができる。【０００３】  図４は、ラケット（２）のグリップ部（２ａ）にグリップテープ（２ｂ）を巻き付けた状態を示す図である。グリップテープ（２ｂ）は、グリップ（２ａ）の下方から上方に向かって巻き付けられ上方のグリップテープの巻き終わった部分が終端部（２ｂ−１）となる。【０００４】  図５は、終端部（２ｂ−１）の拡大図である。終端部（２ｂ−１）は、グリップテープ（２ｂ）の粘着力で、ある程度粘着固定されるものの、容易に剥がれてしまうことと美観上好ましくないことから、終端部（２ｂ−１）にエンドテープを巻き付け固定することで、終端部（２ｂ−１）を確実に固定し、きれいに仕上げることができる。【０００５】  一般的なエンドテープとして、実用新案登録第３１７１５７９号公報（特許文献１）に開示された「スポーツ用品の保護テープ」の図５を示す。
【先行技術文献】
【特許文献】
【０００６】
【特許文献１】実用新案登録第３１７１５７９号公報
【考案の概要】
【考案が解決しようとする課題】
【０００７】  ところで、従来のエンドテープは、テープがロール状になって販売されていたり、ラケットメーカーのグリップテープの附属品として同梱されて販売されている。いずれのエンドテープも黒や白など単色の無地、あるいは単色のテープにラケットメーカーのロゴなどが印刷されて特に装飾性を意識することなく構成されているため、グリップテープのカラーやパーソナルイメージに合わせたコーディネートができないという課題があった。【０００８】  そこで本考案は、ラケットなどのグリップに巻き付けたグリップテープの終端部を止めるエンドテープで、使用者のグリップテープのカラーやパーソナルイメージに合わせたコーディネートが容易に可能なグリップのエンドテープを提供することを目的とするものである。
【課題を解決するための手段】
【０００９】  請求項１においては、ラケットなどのグリップに巻き付けたグリップテープの終端部を止めるエンドテープであって、エンドテープ本体の長手方向のほぼ中央位置で第１領域と第２領域に分割し、第１領域と第２領域は、各々異なるカラーで構成したことで解決される。【００１０】  請求項２においては、該第１領域と該第２領域は、各々異なるテクスチャーで構成したことで解決される。【００１１】  請求項３においては、該第１領域と該第２領域は、各々異なるカラー、あるいはテクスチャーで構成されるとともに、該第１領域と該第２領域には、各々文字図柄の何れかまたは組み合わせたものが表示され、該第１領域に表示された文字図柄に対して、該第２領域に表示された文字図柄は、上下逆の１８０度転回した状態で表示されていることで解決される。【００１２】  請求項４においては、該第１領域と該第２領域の各々の長さは、少なくともラケットなどのグリップの周方向の長さよりも長いことで解決される。
【考案の効果】
【００１３】  請求項１においては、ラケットなどのグリップに巻き付けたグリップテープの終端部を止めるエンドテープであって、エンドテープ本体の長手方向のほぼ中央位置で第１領域と第２領域に分割し、第１領域と第２領域は、各々異なるカラーで構成したので、終端部（２ｂ−１）に本体（１）を巻き付けるときに、第１領域（１ａ）から巻き始めるか第２領域（１ｂ）から巻き始めるかによって表側の本体（１）のカラーを選択することができるので、使用者のグリップテープのカラーやパーソナルイメージに合わせたコーディネートが容易に可能となる。【００１４】  請求項２においては、該第１領域と該第２領域は、各々異なるテクスチャーで構成したので、終端部（２ｂ−１）に本体（１）を巻き付けるときに、第１領域（１ａ）から巻き始めるか第２領域（１ｂ）から巻き始めるかによって表側の本体（１）のテクスチャーを選択することができるので、使用者のグリップテープのカラー、テクスチャーやパーソナルイメージに合わせたコーディネートが容易に可能となる。【００１５】  請求項３においては、該第１領域と該第２領域は、各々異なるカラー、あるいはテクスチャーで構成されるとともに、該第１領域と該第２領域には、各々文字図柄の何れかまたは組み合わせたものが表示され、該第１領域に表示された文字図柄に対して、該第２領域に表示された文字図柄は、上下逆の１８０度転回した状態で表示したので、終端部（２ｂ−１）に本体（１）を巻き付けるときに、第１領域（１ａ）あるいは第２領域（１ｂ）のどちらを表側に出したとしても文字は正立状態で表示されることになる。また、使用者のグリップテープのカラー、テクスチャーやパーソナルイメージに合わせたコーディネートも容易に可能となる。【００１６】  請求項４においては、該第１領域と該第２領域の各々の長さは、少なくともラケットなどのグリップの周方向の長さよりも長いので、終端部（２ｂ−１）に本体（１）を巻き付けるときに、例えば第１領域（１ａ）から巻き始めたのであれば第２領域（１ｂ）で第１領域（１ａ）を完全に覆い被せることができ、表側に出るのは第２領域（１ｂ）だけとなり、逆もまた同様である。これによって、表側に出ない領域のカラーやテクスチャーが表側に出ることはないので確実に美しく本体（１）を終端部（２ｂ−１）に巻き付けることが可能となる。
【図面の簡単な説明】
【００１７】
【図１】本考案の第１の実施例を示す正面図である。
【図２】本考案の第２の実施例を示す正面図である。
【図３】本考案の第３の実施例を示す正面図である。
【図４】ラケットのグリップ部にグリップテープを巻き付けた状態を示す図である。
【図５】終端部の拡大図である。
【図６】本考案の第１実施例の使用状態を示す図である。
【図７】本考案の第１実施例の使用状態を示す図である。
【図８】本考案の第３実施例の使用状態を示す図である。
【図９】本考案の第３実施例の使用状態を示す図である。
【考案を実施するための形態】
【実施例１】
【００１８】  本考案の実施例１について、図面を参照して詳細に説明する。なお、図においてはテニスラケットを用いて説明をする。図１は、本考案の第１の実施例を示す正面図である。【００１９】  図１は、本考案の第１の実施例を示す正面図である。エンドテープの本体（１）は、ポリウレタンなどの伸縮性を有する素材からテープ状に形成され、裏面には粘着層を備えている。表面は、本体（１）の長手方向のほぼ中央位置で第１領域（１ａ）と第２領域（１ｂ）に分割され、第１領域（１ａ）と第２領域（１ｂ）は、各々異なるカラーで構成される。図１においては、一例として第１領域（１ａ）をホワイト、第２領域（１ｂ）をグレーで示した。【００２０】  図６及び図７は、本考案の第１実施例の使用状態を示す図である。図５に示す終端部（２ｂ−１）に巻き付けるときに、図６に示されるようにホワイトの第１領域（１ａ）を表に出したいときは、グレーの第２領域（１ｂ）側から巻き始めるとホワイトの第１領域（１ａ）が表に出ることになる。他方、第２領域（１ｂ）を表に出したいときは、図７に示されるようにホワイトの第１領域（１ａ）側から巻き始めるとグレーの第２領域（１ｂ）が表に出ることになる。【００２１】このようにして、終端部（２ｂ−１）に本体（１）を巻き付けるときに、第１領域（１ａ）から巻き始めるか第２領域（１ｂ）から巻き始めるかによって表側の本体（１）のカラーを選択することができるので、使用者のグリップテープのカラーやパーソナルイメージに合わせたコーディネートが容易に可能となる。
【実施例２】
【００２２】  本考案の実施例２について、図面を参照して詳細に説明する。なお、実施例１で説明した内容と重複する部分に付いては省略して説明をする。【００２３】  図２は、本考案の第２の実施例を示す正面図である。本体（１）の表面は、長手方向のほぼ中央位置で第１領域（１ａ）と第２領域（１ｂ）に分割され、第１領域（１ａ）と第２領域（１ｂ）は、各々異なるテクスチャーで構成される。図２においては、一例として第１領域（１ａ）を平滑状、第２領域（１ｂ）をエンボス状で示した。【００２４】  第２実施例の使用状態は、基本的に第１実施例の使用状態と同様であるので図６及び図７を用いて第１領域（１ａ）を平滑状、第２領域（１ｂ）をエンボス状であることを前提にして説明をする。図５に示す終端部（２ｂ−１）に巻き付けるときに、図６に示されるように平滑状の第１領域（１ａ）を表に出したいときは、エンボス状の第２領域（１ｂ）側から巻き始めると平滑状の第１領域（１ａ）が表に出ることになる。他方、第２領域（１ｂ）を表に出したいときは、図７に示されるように平滑状の第１領域（１ａ）側から巻き始めるとエンボス状の第２領域（１ｂ）が表に出ることになる。【００２５】このようにして、終端部（２ｂ−１）に本体（１）を巻き付けるときに、第１領域（１ａ）から巻き始めるか第２領域（１ｂ）から巻き始めるかによって表側の本体（１）のテクスチャーを選択することができるので、使用者のグリップテープのカラー、テクスチャーやパーソナルイメージに合わせたコーディネートが容易に可能となる。
【実施例３】
【００２６】  本考案の実施例３について、図面を参照して詳細に説明する。なお、実施例１及び実施例２で説明した内容と重複する部分に付いては省略して説明をする。【００２７】  図３は、本考案の第３の実施例を示す正面図である。本体（１）の表面は、長手方向のほぼ中央位置で第１領域（１ａ）と第２領域（１ｂ）に分割され、第１領域（１ａ）と第２領域（１ｂ）は、各々異なるカラー、あるいはテクスチャーで構成されるとともに、該第１領域と該第２領域には、各々文字図柄の何れかまたは組み合わせた表示部（１ｃ）が表示される。該第１領域に正立状態で表示された表示部（１ｃ）に対して、該第２領域の表示部（１ｃ）は、上下逆の１８０度転回した状態で表示して構成されている。図３においては、一例として第１領域（１ａ）にホワイト地に正立状態で表示した文字ＡＢＣＤＥの表示部（１ｃ）、第２領域（１ｂ）にグレー地に同じ文字であるＡＢＣＤＥを第１領域（１ａ）の文字に対して上下逆の１８０度転回した状態の表示部（１ｃ）として表示した。【００２８】  図８及び図９は、第３実施例の使用状態を示す図である。図５に示す終端部（２ｂ−１）に本体（１）を巻き付けるときに、図８に示されるようにホワイト地に正立状態の文字ＡＢＣＤＥが表示された第１領域（１ａ）を表に出したいときは、グレー地に文字であるＡＢＣＤＥが上下逆の１８０度転回した状態で表示された第２領域（１ｂ）側から巻き始めるとホワイト地に正立状態の文字ＡＢＣＤＥが表示された第１領域（１ａ）が表に出ることになる。他方、第２領域（１ｂ）を表に出したいときは、本体（１）自体を１８０度転回させたうえで、図９に示されるように第１領域（１ａ）側から巻き始めるとグレー地に表示された文字ＡＢＣＤＥが正立状態となって第２領域（１ｂ）が表に出ることになる。【００２９】  このようにして、終端部（２ｂ−１）に本体（１）を巻き付けるときに、第１領域（１ａ）に表示された正立状態の文字に対して第２領域（１ｂ）では上下逆の１８０度転回した状態の文字としたので第１領域（１ａ）あるいは第２領域（１ｂ）のどちらを表側に出したとしても表示部（１ｃ）は逆さではなく正立状態で表示されることになる。
【実施例４】
【００３０】  本考案の実施例４について詳細に説明する。実施例４においては、該第１領域と該第２領域の各々の長さは、少なくともラケットなどのグリップの周方向の長さよりも長く構成している。このため、終端部（２ｂ−１）に本体（１）を巻き付けるときに、例えば第１領域（１ａ）から巻き始めたのであれば第２領域（１ｂ）で第１領域（１ａ）を完全に覆い被せることができ、表側に出るのは第２領域（１ｂ）だけとなり、逆もまた同様である。
【符号の説明】
【００３１】１          本体
１ａ        第１領域
１ｂ        第２領域
１ｃ        表示部
２          ラケット
２ａ        グリップ部
２ｂ        グリップテープ
２ｂ−１    終端部
【図１】
0003225340.tif 000003
【図２】
0003225340.tif 000004
【図３】
0003225340.tif 000005
【図４】
0003225340.tif 000006
【図５】
0003225340.tif 000007
【図６】
0003225340.tif 000008
【図７】
0003225340.tif 000009
【図８】
0003225340.tif 000010
【図９】
0003225340.tif 000011